【手続補正書】
【提出日】平成19年11月26日(2007.11.26)
【手続補正１】
【補正対象書類名】明細書
【補正対象項目名】発明の名称
【補正方法】変更
【補正の内容】
【発明の名称】端末装置
【手続補正２】
【補正対象書類名】明細書
【補正対象項目名】特許請求の範囲
【補正方法】変更
【補正の内容】
【特許請求の範囲】
【請求項１】  表示データ内に含まれ、通信ノードを各々識別する複数の識別標識を記憶し、前記複数の識別標識の中から選択された一の識別標識により識別される通信ノードとの間で通信を行う端末装置であって、
前記端末装置は、通信ノードを識別する１以上の識別標識を含む表示データを受信する受信手段を有し、当該１以上の識別標識は少なくとも電話番号、電子メールアドレスおよびＵＲＬのいずれかを含む識別標識であり、
前記端末装置は更に、
前記受信手段により受信された表示データに含まれる識別標識を抽出し、抽出した識別標識をメモリに格納する格納手段と、
前記格納手段により前記メモリに格納された識別標識を読み出す読出手段と、
複数の通信機能の各々を実行する実行手段と
を有し、更に前記端末装置は、
前記複数の通信機能の中から前記読出手段により読み出された識別標識に応じた一の通信機能を選択し、当該選択した一の通信機能の起動を前記実行手段に指示する起動手段と、
前記起動手段の指示に従い起動された通信機能を用いて、自動的に前記読出手段により読み出された識別標識により示される通信ノードとの間で通信を可能な状態とする通信制御手段と
を備える端末装置。
【請求項２】  移動電話機である請求項１に記載の端末装置。
【請求項３】  前記格納手段は、前記受信手段により受信された表示データから抽出した識別標識を、当該表示データに含まれる文字、記号または図のいずれかと関連付けて、前記メモリに格納する
請求項１に記載の端末装置。
【請求項４】  前記格納手段は、前記受信手段により受信された表示データから抽出した識別標識を、前記端末装置内で生成した文字、記号または図のいずれかと関連付けて、前記メモリに格納する
請求項１に記載の端末装置。
【請求項５】  前記受信手段は、インターネットを介してウェブサイトからウェブページデータを前記表示データとして受信する
請求項１に記載の端末装置。
【請求項６】  前記格納手段は、ユーザによる要求操作に応じて、前記識別標識の抽出および格納を行う
請求項１に記載の端末装置。
【請求項７】  前記格納手段は、前記表示データから識別標識を抽出する際に、所定の条件を満たし識別標識と認識される文字または記号を識別標識として当該表示データから抽出する
請求項１に記載の端末装置。
【請求項８】  前記格納手段は、前記表示データから識別標識を抽出するに際し、ユーザにより入力された文字または記号に基づいて、当該表示データから識別標識を抽出する
請求項１に記載の端末装置。
【請求項９】  前記複数の通信機能は、少なくとも電話通信機能、電子メール通信機能およびブラウザ機能を含む
請求項１に記載の端末装置。
【請求項１０】  前記通信ノードは、同じまたは異なる種別の複数の識別標識によって識別可能であり、
前記メモリは、１の通信ノードについて複数の識別標識を対応付けて格納可能である
請求項１に記載の端末装置。
【請求項１１】  前記格納手段は、前記受信手段により受信された表示データから識別標識を構成する文字または記号を抽出し、当該抽出した文字または記号を、当該表示データから抽出した識別標識の索引として前記メモリに格納する
請求項１に記載の端末装置。
【請求項１２】  前記格納手段は、前記表示データから識別標識を抽出する際に、前記表示データ内のアンカータグに含まれるデータを識別標識として抽出する
請求項１に記載の端末装置。
【手続補正３】
【補正対象書類名】明細書
【補正対象項目名】０００６
【補正方法】変更
【補正の内容】
【０００６】
【課題を解決するための手段】
上述した課題を解決するために、本発明は、第１の態様として、表示データ内に含まれ、通信ノードを各々識別する複数の識別標識を記憶し、前記複数の識別標識の中から選択された一の識別標識により識別される通信ノードとの間で通信を行う端末装置であって、前記端末装置は、通信ノードを識別する１以上の識別標識を含む表示データを受信する受信手段を有し、当該１以上の識別標識は少なくとも電話番号、電子メールアドレスおよびＵＲＬのいずれかを含む識別標識であり、前記端末装置は更に、前記受信手段により受信された表示データに含まれる識別標識を抽出し、抽出した識別標識をメモリに格納する格納手段と、前記格納手段により前記メモリに格納された識別標識を読み出す読出手段と、複数の通信機能の各々を実行する実行手段とを有し、更に前記端末装置は、前記複数の通信機能の中から前記読出手段により読み出された識別標識に応じた一の通信機能を選択し、当該選択した一の通信機能の起動を前記実行手段に指示する起動手段と、前記起動手段の指示に従い起動された通信機能を用いて、自動的に前記読出手段により読み出された識別標識により示される通信ノードとの間で通信を可能な状態とする通信制御手段とを備える端末装置を提供する。
【手続補正４】
【補正対象書類名】明細書
【補正対象項目名】０００７
【補正方法】変更
【補正の内容】
【０００７】
また、本発明は、第２の態様として、上記第１の態様の端末装置であって、移動電話機である端末装置を提供する。
【手続補正５】
【補正対象書類名】明細書
【補正対象項目名】０００８
【補正方法】変更
【補正の内容】
【０００８】
また、本発明は、第３の態様として、上記第１の態様の端末装置であって、前記格納手段は、前記受信手段により受信された表示データから抽出した識別標識を、当該表示データに含まれる文字、記号または図のいずれかと関連付けて、前記メモリに格納する端末装置を提供する。
【手続補正６】
【補正対象書類名】明細書
【補正対象項目名】０００９
【補正方法】変更
【補正の内容】
【０００９】
また、本発明は、第４の態様として、上記第１の態様の端末装置であって、前記格納手段は、前記受信手段により受信された表示データから抽出した識別標識を、前記端末装置内で生成した文字、記号または図のいずれかと関連付けて、前記メモリに格納する端末装置を提供する。
【手続補正７】
【補正対象書類名】明細書
【補正対象項目名】００１０
【補正方法】変更
【補正の内容】
【００１０】
また、本発明は、第５の態様として、上記第１の態様の端末装置であって、前記受信手段は、インターネットを介してウェブサイトからウェブページデータを前記表示データとして受信する端末装置を提供する。
【手続補正８】
【補正対象書類名】明細書
【補正対象項目名】００１１
【補正方法】変更
【補正の内容】
【００１１】
また、本発明は、第６の態様として、上記第１の態様の端末装置であって、前記格納手段は、ユーザによる要求操作に応じて、前記識別標識の抽出および格納を行う端末装置を提供する。
【手続補正９】
【補正対象書類名】明細書
【補正対象項目名】００１２
【補正方法】変更
【補正の内容】
【００１２】
また、本発明は、第７の態様として、上記第１の態様の端末装置であって、前記格納手段は、前記表示データから識別標識を抽出する際に、所定の条件を満たし識別標識と認識される文字または記号を識別標識として当該表示データから抽出する端末装置を提供する。
【手続補正１０】
【補正対象書類名】明細書
【補正対象項目名】００１３
【補正方法】変更
【補正の内容】
【００１３】
また、本発明は、第８の態様として、上記第１の態様の端末装置であって、前記格納手段は、前記表示データから識別標識を抽出するに際し、ユーザにより入力された文字または記号に基づいて、当該表示データから識別標識を抽出する端末装置を提供する。
【手続補正１１】
【補正対象書類名】明細書
【補正対象項目名】００１４
【補正方法】変更
【補正の内容】
【００１４】
また、本発明は、第９の態様として、上記第１の態様の端末装置であって、前記複数の通信機能は、少なくとも電話通信機能、電子メール通信機能およびブラウザ機能を含む端末装置を提供する。
【手続補正１２】
【補正対象書類名】明細書
【補正対象項目名】００１５
【補正方法】変更
【補正の内容】
【００１５】
また、本発明は、第１０の態様として、上記第１の態様の端末装置であって、前記通信ノードは、同じまたは異なる種別の複数の識別標識によって識別可能であり、前記メモリは、１の通信ノードについて複数の識別標識を対応付けて格納可能である端末装置を提供する。
【手続補正１３】
【補正対象書類名】明細書
【補正対象項目名】００１６
【補正方法】変更
【補正の内容】
【００１６】
また、本発明は、第１１の態様として、上記第１の態様の端末装置であって、前記格納手段は、前記受信手段により受信された表示データから識別標識を構成する文字または記号を抽出し、当該抽出した文字または記号を、当該表示データから抽出した識別標識の索引として前記メモリに格納する端末装置を提供する。
【手続補正１４】
【補正対象書類名】明細書
【補正対象項目名】００１７
【補正方法】変更
【補正の内容】
【００１７】
また、本発明は、第１２の態様として、上記第１の態様の端末装置であって、前記格納手段は、前記表示データから識別標識を抽出する際に、前記表示データ内のアンカータグに含まれるデータを識別標識として抽出する端末装置を提供する。